(57)【特許請求の範囲】
【請求項１】
ファン及びモータを備えたファン部の空気吹き出し側の端部に、この端部に対向してフィルターを内装したフィルター枠部及び空気吹き出し口を側面に有するルーバー部が順次配設された給気ファン装置であって、フィルター枠部にはルーバー部の空気吹き出し口に近接する部位に、その空気吹き出し口の長さ方向に延びる整流体が突設され、この整流体は、空気吹き出し口に向かって漸次高くなる傾斜面を有し、さらにフィルター枠部には、ルーバー部の空気吹き出し口端縁部に対向する部位に、フィルター枠部を通過した空気がその端縁部に向かうのを阻止し、空気吹き出し口へと向かわせる風向規制体が立設されていることを特徴とする給気ファン装置。
【請求項２】
ルーバー部には、フィルター枠部に内装されたフィルターに対向して断熱材が設けられ、風向規制体の先端部は、この断熱材に食い込むように当接している請求項１記載の給気ファン装置。
【発明の詳細な説明】
【０００１】
【発明の属する技術分野】
この出願の発明は、給気ファン装置に関するものである。さらに詳しくは、この出願の発明は、空気吹き出し口付近の結露を防止することのできる給気ファン装置に関するものである。
【０００２】
【従来の技術】
従来より、高気密、高断熱住宅においては、外気を強制的に室内に取り込む換気方式が採用されているが、その強制的給気手段として、たとえば図４及び図５に示することのできる給気ファン装置が、この出願の出願人より提案されている。
【０００３】
この給気ファン装置は、ファン（１）及びモータ（２）を備えたファン部（３）を有し、このファン部（３）の空気吹き出し側の端部（４）に、フィルター枠部（５）及びルーバー部（６）が順次配設されている。フィルター枠部（５）には、ファン部（３）の端部（４）に対向してフィルターが内装され、また、ルーバー部（６）には、空気吹き出し口（７）がその側面に形成されている。
【０００４】
このような構成を有する給気ファン装置は、たとえば、室内側から外壁に向かって屋内外を連通する換気用パイプにファン部（３）を挿入し、フィルター枠部（５）及びルーバー部（６）が室内側の所定位置に配置されて取り付けられる。モータ（２）の作動によりファン（１）が回転すると、外気がファン部（３）に吸い込まれ、この外気は、次いで、フィルター枠部（５）に内装したフィルターによって浄化された後に、ルーバー部（６）の端部に備えた面体（８）に当たり、風向転換されて空気吹き出し口（７）から室内へと供給される。
【０００５】
高気密、高断熱住宅は、寒冷地用の住宅として特に好ましいとされるが、上記した給気ファン装置を使用にたえ得るものとするには、結露対策が急務とされる。なぜならば、たとえば冬季等においては、外気温度は室温に比較して低く、このように冷たい外気を取り込むと、給気ファン装置の各部位がその冷気によって冷やされ、表面温度が低下するため、結露が発生するおそれがあるからである。
【０００６】
そこで、上記した給気ファン装置については、断熱材（９）をフィルター枠部（５）とファン部（３）の間に介在させたり、また、ルーバー部（６）の面体（８）の裏面に設け、室内側に配置されるフィルター枠部（５）及びルーバー部（６）の温度低下を防止することが考えられている。
【０００７】
【発明が解決しようとする課題】
しかしながら、給気ファン装置の結露対策については、さらなる検討が必要とされる。
図６に空気吹き出し口（７）から吹き出す空気の流れを模式的に示したが、空気吹き出し口（７）から吹き出す空気の一部は、フィルター枠部（５）側に回り込むことが考えられる。この回り込みによって、図７に示したように、空気吹き出し口（７）付近に位置するフィルター枠部（５）の側面（１０）に冷気が当たり、冷やされて表面温度が下がると同時に、吹き出す空気は室内側の空気を巻き込み、これをフィルター枠部（５）の側面（１０）に当てる。その結果として、フィルター枠部（５）の側面（１０）の空気吹き出し口（７）に近い部分に結露（１２）が発生するおそれがある。
【０００８】
このような結露（１２）は、ルーバー部（６）の空気吹き出し口（７）の端縁部にも同様に起こり得る。ルーバー部（６）は、フィルター枠部（５）とともにしばしば角筒状に形成されるが、この場合には、ルーバー部（６）の空気吹き出し口（７）の端縁部はコーナー部（１１）に位置する。結露（１２）は、上記と同様な理由によりこのコーナー部（１１）に発生するおそれがある。
【０００９】
この出願の発明は、以上の通りの事情に鑑みてなされたものであり、給気ファン装置の結露対策をさらに推し進め、空気吹き出し口付近の結露を防止することのできる給気ファン装置を提供することを目的としている。
【００１０】
【課題を解決するための手段】
この出願の発明は、上記の課題を解決するものとして、ファン及びモータを備えたファン部の空気吹き出し側の端部に、この端部に対向してフィルターを内装したフィルター枠部及び空気吹き出し口を側面に有するルーバー部が順次配設された給気ファン装置であって、フィルター枠部にはルーバー部の空気吹き出し口に近接する部位に、その空気吹き出し口の長さ方向に延びる整流体が突設され、この整流体は、空気吹き出し口に向かって漸次高くなる傾斜面を有し、さらにフィルター枠部には、ルーバー部の空気吹き出し口端縁部に対向する部位に、フィルター枠部を通過した空気がその端縁部に向かうのを阻止し、空気吹き出し口へと向かわせる風向規制体が立設されていることを特徴とする給気ファン装置（請求項１）を提供する。
【００１１】
またこの出願の発明は、ルーバー部には、フィルター枠部に内装されたフィルターに対向して断熱材が設けられ、風向規制体の先端部は、この断熱材に食い込むように当接していること（請求項２）を好ましい態様として提供するものである。
【００１２】
以下、図面に沿ってこの出願の発明の給気ファン装置についてさらに詳しく説明する。
【００１３】
【発明の実施の形態】
図１は、この出願の発明の給気ファン装置の一実施形態を示した側面図である。図２及び図３は、その一部を空気の流れとともに示した要部断面図である。
この出願の発明の給気ファン装置では、図４に示した給気ファン装置に一部改良を加え、図１及び図２に示したように、フィルター枠部（５）においてルーバー部（６）の空気吹き出し口（７）に近接する部位に、その空気吹き出し口（７）の長さ方向に延びる整流体（１３）が突設されている。この整流体（１３）は、空気吹き出し口（７）に向かって漸次高くなる傾斜面（１４）を有している。また、整流体（１３）は、フィルター枠部（５）と一体に、又は別体として設けることができる。別体とする場合には、フィルター枠部（５）には、接着、粘着、固定具等によって固定することができる。
【００１４】
このような整流体（１３）の配設によって、この出願の発明の給気ファン装置では、図２に示したように、空気吹き出し口（７）から吹き出す空気は、フィルター枠部（５）から離反する方向にのみ向かい、フィルター枠部（５）側には回り込まなくなる。このため、冬季等において室温より低い温度の外気がファン部（３）に備えたファン（１）の作動によって導入されても、空気吹き出し口（７）から室内側に吹き出す際に、フィルター枠部（５）の側面（１０）には当たらない。このため、側面（１０）が、取り入れた外気によって冷却されることはなく、表面温度は低下しない。また、室内側の空気の巻き込みも発生しない。したがって、フィルター枠部（５）の側面（１０）の空気吹き出し口（７）付近に結露は発生しない。図４に示した給気ファン装置の結露対策がさらに前進する。
【００１５】
この出願の発明の給気ファン装置では、さらに、フィルター枠部（５）において、ルーバー部（６）の空気吹き出し口（７）の端縁部に対向する部位に、風向規制体（１５）が立設される。この風向規制体（１５）は、図３に示したように、フィルター枠部（５）を通過した空気が、空気吹き出し口（７）の端縁部に向かうのを阻止し、空気吹き出し口（７）へと向かわせる、風向規制手段である。ルーバー部（６）の空気吹き出し口（７）の端縁部は、前述のように、ルーバー部（６）が角筒状に形成される場合には、そのコーナー部（１１）に位置する。このコーナー部（１１）をはじめとするルーバー部（６）の空気吹き出し口（７）の端縁部は、一般に、フィルター枠部（５）とルーバー部（６）の連結部分に当てられることが多い。
【００１６】
風向規制体（１５）は、たとえば、コーナー部（１１）等の空気吹き出し口（７）の端縁部を取り囲むことのできる、衝立状の板体とすることができる。もちろん、風向規制体（１５）は、板体に限定されることはなく、この他、たとえば、コーナー部（１１）の内側に納まるような塊状とすることも可能である。また、風向規制体（１５）は、上記した整流体（１３）と同様に、フィルター枠部（５）と一体に、又は別体として設けることができる。さらに、風向規制体（１５）は、ルーバー部（６）の空気吹き出し口（７）の端縁部のすべてに対向してフィルター枠部（５）に設けることができる。ルーバー部（６）が角筒状に形成される場合には、すべてのコーナー部（１１）に対向して設けられる。ルーバー部（６）が四角形断面を有する場合には、空気吹き出し口（７）は、一般に、ルーバー部（６）の上側面及び左右両側面に形成され、下側面には設けられない。これは、空気吹き出し口（７）から吹き出す空気が、室内の居住者、配置物等に直接向かうのを避け、不快感を与えず、また、埃の舞い上がりを押えるなどの配慮からである。この場合、ルーバー部（６）の下側面内側には、その下側面の取り入れた外気による温度低下を防止し、また、気密性を確保するなどのために、断熱材が取り付けられることがある。そして、フィルター枠部（５）には、この断熱材を押えるための断熱材押えが、ルーバー部（６）の下側面に沿うように立設される。このような断熱材押えがフィルター枠部（５）に立設される場合には、風向規制体（１５）は、その断熱材押えの両端から延設することもできる。
【００１７】
このような風向規制体（１５）を配設することによって、この出願の発明の給気ファン装置では、図３に示したように、空気吹き出し口（７）から吹き出す空気は、ルーバー部（６）のコーナー部（１１）等の空気吹き出し口（７）の端縁部に当たらない。このため、ルーバー部（６）の空気吹き出し口（７）の端縁部が取り入れた外気によって冷却されることはなく、また、空気吹き出し口（７）から吹き出す空気により室内側の空気が巻き込まれることもない。ルーバー部（６）の空気吹き出し口（７）の端縁部に結露は発生しない。
【００１８】
なお、この出願の発明の給気ファン装置では、図４に示した給気ファン装置と同様に、断熱材（９）をフィルター枠部（５）とファン部（３）の間に介在させ、また、ルーバー部（６）の面体（８）の裏面に、フィルター枠部（５）に内装したフィルターに対向させて設け、室内側に配置されるフィルター枠部（５）及びルーバー部（６）の温度低下を防止するという結露対策も同時に採用し得る。そして、図１に示したように、断熱材（９）がルーバー部（６）の面体（８）の裏面に設けられる場合には、ルーバー部（６）のコーナー部（１１）等の空気吹き出し口（７）の端縁部に取り入れた外気が当たるのをより効果的に阻止し、結露の防止を確実とするために、上記した風向規制体（１５）の先端部を断熱材（９）に食い込むように当接させることができる。こうすることで、フィルター枠部（５）に内装したフィルターを通過した外気をルーバー部（６）の空気吹き出し口（７）の端縁部に全く当てずに済み、結露を確実に防止することができる。
【００１９】
もちろんこの出願の発明は、以上の実施形態によって限定されるものではない。ファン部、フィルター枠部、及び、ルーバー部の構成及び構造等の細部については様々な態様が可能であることは言うまでもない。
【００２０】
【発明の効果】
以上詳しく説明した通り、この出願の発明によって、空気吹き出し口付近に発生するおそれのある結露を防止することができる。給気ファン装置における結露対策が推進する。
【図面の簡単な説明】
【図１】この出願の発明の給気ファン装置の一実施形態を示した側面図である。
【図２】図１に示した給気ファン装置の一部を空気の流れとともに示した要部断面図である。
【図３】図１に示した給気ファン装置の一部を空気の流れとともに示した要部断面図である。
【図４】この出願の発明が前提する給気ファン装置を示した側面図である。
【図５】図４に示した給気ファン装置の分解斜視図である。
【図６】図４に示した給気ファン装置において、空気吹き出し口から吹き出す空気の流れを模式的に示した要部断面図である。
【図７】図４に示した給気ファン装置に懸念される結露について示した要部斜視図である。
【符号の説明】
１    ファン
２    モータ
３    ファン部
４    端部
５    フィルター枠部
６    ルーバー部
７    空気吹き出し口
８    面体
９    断熱材
１０    側面
１１    コーナー部
１２    結露
１３    整流体
１４    傾斜面
１５    風向規制体
【図１】
0003596589.tif 000002
【図２】
0003596589.tif 000003
【図３】
0003596589.tif 000004
【図４】
0003596589.tif 000005
【図５】
0003596589.tif 000006
【図６】
0003596589.tif 000007
【図７】
0003596589.tif 000008